(57)【要約】【課題】遊技盤を容易且つ簡単に持ち運びできるようにする。【解決手段】前面側にガイドレール４１に囲まれて遊技構成部材（遊技釘、入賞具等）が設けられて遊技領域ＰＡが形成されるとともに後面側に球寄せカバー１６が設けられた遊技盤３０と、遊技領域ＰＡを前面側に臨ませて遊技盤３０が着脱自在に取り付けられる収容枠２０とを有して遊技機ＰＭが構成される。この遊技機において、遊技盤３０を収容枠２０から取り外した状態で把持するための遊技盤把持機構５０を、遊技盤３０の端部に形成された収容凹部３２内に固設された支持部材５１と、この支持部材５１により移動可能に支持された取っ手部材５５とから構成する。取っ手部材５５は、ガイドレール前端面から球寄せカバー後端面までの前後方向範囲で且つ遊技盤の外形輪郭形状の前後方向延長領域内にに収容される収容位置と収容凹部外に突出する把持位置との間で移動可能となって支持部材５１に支持される。【解決手段】【選択図】  図３
2004167085.tif 000002
【特許請求の範囲】
【請求項１】
前面側にガイドレールが設けられるとともに前記ガイドレールに囲まれた遊技領域内に遊技構成部材が設けられ、後面側にカバー部材が取り付けられた遊技盤と、前記遊技領域を前面側に臨ませて前記遊技盤が着脱自在に取り付けられる枠部材とを有した遊技機において、前記遊技盤を把持するための遊技盤把持機構であって、
前記遊技盤の端部に形成された凹部内に固設された支持部材と、前記支持部材により移動可能に支持された取っ手部材とから構成され、
前記取っ手部材は、前記ガイドレールの前端面から前記カバー部材の後端面に至る前後方向範囲で且つ前記遊技盤の外形輪郭形状の前後方向延長領域内に収容される収容位置と前記凹部外に突出する把持位置との間で移動可能となって前記支持部材に支持されていることを特徴とする遊技盤把持機構。
【発明の詳細な説明】
【０００１】
【発明の属する技術分野】
本発明は、前面側にガイドレールに囲まれた遊技領域内に遊技構成部材（例えば、遊技釘、入賞具、ガイドレール、液晶表示装置等）が設けられるとともに後面側にカバー部材（例えば、球寄せカバー）が取り付けられた遊技盤と、遊技領域を前面側に臨ませて遊技盤が着脱自在に取り付けられる枠部材とを有して構成される遊技機に関する。
【０００２】
【従来の技術】
このような遊技機として、パチンコ機、アレンジボール機、雀球遊技機等が一般的に知られているが、この種の遊技機の代表としてパチンコ機を例に挙げて説明する。パチンコ機は、前面側にガラス扉が開閉自在に装着される前枠、この前枠が開閉着脱可能に取り付けられる方形枠状の外枠、前枠と一体に構成された収容枠に着脱自在に取り付けられるとともに閉止状態のガラス扉に近接して対向する遊技盤、前枠の後面側に取り付けられる裏機構盤等から構成される。一般的に、遊技盤は収容枠に後面側から装着されるとともに収容枠に取り付けられた係止レバーにより係止保持され、遊技盤の前面に形成された遊技領域を収容枠の開口を通して前面側に露出させ、ガラス扉に臨ませるようになっている。
【０００３】
【発明が解決しようとする課題】
このような構成のパチンコ機等の遊技機を製造する際に遊技盤を収容枠に装着する作業や、遊技盤単体での出荷、運搬作業や、遊技場における遊技盤の着脱作業に際しては、従来から作業者が遊技盤を両手で把持してこれらの作業を行っている。ところが、遊技盤の前面には遊技構成部材（例えば、遊技釘、入賞具、ガイドレール、液晶表示装置等）が取り付けられて遊技領域が形成されており、遊技盤を両手で把持するときに遊技構成部材に手を触れずに把持する必要があり、上記の作業に注意が必要で、この作業が繁雑且つ非効率となりやすかった。特に、遊技領域を囲むようにガイドレールが遊技盤前面に設けられており、遊技盤の両側部を両手で把持するときにガイドレールを誤って把持してこれを変形させるというおそれがあった。
【０００４】
なお、特許文献１には、遊技盤の空きスペース（遊技領域として使用されないスペース）に取っ手孔を形成し、取っ手孔に指を差し入れて遊技盤の持ち運びをできるようにすることが開示されている（特許文献１の図１１の一点鎖線Ｈ３）。しかしながら、この取っ手孔は遊技盤の空きスペースを利用するものであり、その形成位置が遊技盤の重心位置に対して偏った位置にならざるを得ず、この取っ手孔に指を差し入れて持ち上げると重心位置側が下がって遊技盤が傾いた状態となるため、その把持が難しいという問題がある。また、単なる貫通孔が形成されているだけであり、遊技盤の把持を行い難いという問題もある。
【０００５】
【特許文献１】
実開２００２−６５９６８（図１１）
【０００６】
本発明はこのような問題に鑑みたもので、枠部材に装着されて遊技機を構成した状態において遊技領域を邪魔したり、他の構成部材と干渉するようなことがなく、遊技盤を取り外した状態ではこれを傾くことなく把持でき、遊技盤を容易且つ簡単に持ち運びできるような構成の遊技盤把持機構を提供することを目的とする。
【０００７】
【課題を解決するための手段】
上記課題を解決してこのような目的を達成するため、本発明においては、前面側にガイドレールが設けられるとともにこのガイドレールに囲まれた遊技領域内に遊技構成部材が設けられ、後面側にカバー部材が取り付けられた遊技盤と、遊技領域を前面側に臨ませて遊技盤が着脱自在に取り付けられる枠部材とを有した遊技機において、遊技盤を枠部材から取り外した状態で把持するための遊技盤把持機構を、遊技盤の端部に形成された凹部内に固設された支持部材と、この支持部材により移動可能に支持された取っ手部材とから構成し、この取っ手部材は、ガイドレール前端面からカバー部材後端面に至る前後方向範囲で且つ遊技盤の外形輪郭形状の前後方向延長領域内に収容される収容位置と凹部外に突出する把持位置との間で移動可能となって支持部材に支持される。
【０００８】
このような構成の遊技盤把持機構を用いれば、取っ手部材を使用しないときには収容位置に移動させて凹部を含む所定範囲（すなわち、ガイドレール前端面からカバー部材後端面に至る前後方向範囲で且つ遊技盤の外形輪郭形状の前後方向延長領域）内に位置させることができるので、遊技機内への遊技盤の取付、遊技盤の単体搬送、梱包出荷等に際して、把持機構が邪魔することがない。このため、従来の遊技盤とほぼ同一の扱いのままで遊技機を製作したり、梱包出荷したりすることができる。また、遊技機の製造工程での遊技盤の運搬作業や、遊技盤単体での出荷、運搬作業や、遊技場における遊技盤の着脱作業に際しては、取っ手部材を把持位置に移動させて凹部の外方に突出させれば、この取っ手を片手で把持してこれを容易に運搬することができ、これらの作業を簡単に且つ効率良く行うことができる。
【０００９】
【発明の実施の形態】
以下、本発明の好ましい実施形態について、好適な実施例を挙げて添付図面を参照しながら詳細に説明する。まず、本実施例のパチンコ機ＰＭの概要構成を図１および図２を参照して要約説明する。なお、図１はパチンコ機ＰＭの外観正面をガラス扉５および上球皿６を開いた状態で示し、図２はこのパチンコ機ＰＭの背面を外枠および裏機構盤を取り外した状態で示している。
【００１０】
パチンコ機ＰＭは外郭方形枠サイズに構成されて縦向きの固定保持枠をなす外枠１の開口前面に、これに合わせた方形枠サイズに構成されて開閉搭載用の前枠２が互いの正面左側上下に配設されたヒンジ部材３ａ，３ｂで横開き開閉および着脱が可能に取り付けられ、正面右側に設けられた施錠装置４を利用して常には外枠１と係合された閉鎖状態に保持される。
【００１１】
前枠２の各部にはパチンコ遊技を展開する遊技展開部材として、前枠２の前側面域に合わせた方形状のガラス扉５および上球皿６が正面左側部に設けられたヒンジ機構を利用して横開き開閉および着脱が可能に組付けられ、上球皿６の下側に下球皿８、操作ハンドル９、打球発射装置１０等が装備されている。前枠２には後方に突出する方形枠状の収容枠２０が前枠２と一体に形成されており、この収容枠２０に所定のゲージ設定で構成された遊技盤３０が着脱可能にセット保持され、常には閉鎖保持されるガラス扉５に遊技盤正面の遊技領域ＰＡを臨ませている。なお、遊技盤３０は裏面側から収容枠２０に装着され、３個の係止レバー１１により係止保持される。
【００１２】
このように収容枠２０に着脱可能に装着される遊技盤３０は、所定板厚の積層合板の表面に樹脂シートからなるセルが貼り付けられた化粧板３１の前面側に、帯状の外レール４１ａおよび内レール４１ｂ（これらを合わせてガイドレール４１と称する）がレール止めピン４１ａ（図３参照）により固設されて構成され、このガイドレール４１に囲まれた範囲内に遊技領域ＰＡが形成される。遊技領域ＰＡ内には、所定配列で打設された多数の遊技釘（図示せず）、風車４２，４３、通過ゲート４４、一般入賞具４５、始動入賞具４６、アタッカー装置４７、表示装置４８、ランプ飾り４９等が図示のように配設されている。この遊技領域ＰＡの下部にはアウト球を排出するアウト口３１ａが化粧板３１を貫通して形成されるとともに、裏面（後面）にアウト口３１ａに繋がるアウト球通過溝３１ｂが形成されている。
【００１３】
表示装置４８は化粧板３１に形成された開口内に配設されており、表示装置４８の後部が遊技盤３０の後面側に突出し、この部分に表示装置制御基板１５が取り付けられている。また、遊技盤３０の後面（裏面）には上下の球寄せカバー１６が表示装置４８の後部を囲んで取り付けられており、表示装置制御基板１５は球寄せカバー１６より後側に位置する。
【００１４】
一方、前枠２の裏側には、図示省略しているが、球貯留タンクや球払出装置等を有する裏機構盤６０（図３参照）が遊技盤３０の背面を覆うように横開き開閉および着脱可能に装備されている。この裏機構盤６０の裏面各部には、主制御基板やターミナル基板、音声基板等の各種基板や電子部品などが取り付けられて各機器がワイヤーハーネスで接続されている。
【００１５】
以上のように構成されるパチンコ機ＰＭは上球皿６およびガラス扉５がともに閉止され施錠された状態で遊技に供され、上球皿６に遊技球を貯留させて操作ハンドル９を回動操作することにより、打球発射装置１０から遊技球が発射されるとともにこの遊技球が遊技盤３０のガイドレール４１に沿って遊技領域ＰＡに導かれ、所定遊技、すなわちパチンコゲームが展開される。
【００１６】
このような構成のパチンコ機ＰＭにおいて、収容枠２０に着脱自在に装着される遊技盤３０には、これを取り外した状態で作業者が手で把持して運搬するために用いられる把持機構が設けられており、この把持機構について、以下に詳しく説明する。
【００１７】
【第１の実施形態】
第１の実施形態に係る把持機構５０は、図２に示すように、遊技盤３０を構成する化粧板３１の裏面上端部中央に形成された収容凹部３２内に設けられる。この構成を、図２の矢印ＩＩＩ−ＩＩＩに沿った断面を示す図３および図４と、図５〜図８とを参照して説明する。なお、図３および図４は、パチンコ機ＰＭの上下方向中央部を省略して、遊技盤３０の上下端部周辺を拡大して示している。
【００１８】
図３は、前枠２の後面側に、収容枠２０に保持させて遊技盤３０を収容装着し、ガラス扉５を閉止した状態を示している。このように装着された状態で遊技盤３０の前面におけるガイドレール４１およびこれに囲まれて形成される遊技領域ＰＡは、前枠２と一体に繋がった矩形状の収容枠２０の矩形状開口２１内に突出して位置し、前枠２の前面に閉止状態で取り付けられたガラス扉５の二枚の透明板５ａ，５ｂのうちの内側透明板５ａに近接対向している。また、図３においては、裏機構盤６０が遊技盤３０の後面（化粧板３１の後面および球寄せカバー１６）を覆って取り付けられた状態を示している。
【００１９】
遊技盤３０の着脱は、裏機構盤６０を開放した状態で、図４に示すように遊技盤３０を傾けて行われる。このような着脱を行うために、図５および図６に詳しく示すように、収容枠２０の下枠部後端に上方に突出する係合突起２２が一体に形成されている。さらに、この係合突起２２に係合する係合凹部３３が遊技盤３０を構成する化粧板３１の後面下端部に形成されている。遊技盤３０を収容枠２０に装着するときには、図４に示すように、係合凹部３３を係合突起２２に係合させてまず下端部を収容枠２０に取り付ける。これにより図示のように上端が後方に位置して傾いた状態となるので、遊技盤３０の上端を前方に押せば、遊技盤３０を収容枠２０の所定位置に装着でき、この後、係止レバー１１により遊技盤３０を係止保持すれば、遊技盤３０の装着が完了する。
【００２０】
遊技盤３０の上端には、この遊技盤３０を持ち運びするときに用いる把持機構５０が設けられており、この把持機構５０について説明する。把持機構５０は上述のように収容凹部３２内に設けられるのであるが、この収容凹部３２は、化粧板３１の後面の上端中央にＵ字状に削られて形成されて後面側に開放した第１凹部３２ａと、この第１凹部３２ａに繋がるとともに化粧板３１の上端面側に開放したＵ字状の第２凹部３２ｂとからなる。把持機構５０は、第１凹部３２ａの後面にビス５９により固設された支持部材５１と、支持部材５１により支持される取っ手部材５５とから構成される。なお、第１及び第２凹部３２ａ，３２ｂはレール止めピン４１ａと干渉しないように形成されている。
【００２１】
図７および図８に詳しく示すように、支持部材５１は、ビス５９により固定される平板部５２と、平板部５２の左右２カ所において後方に直角に折り曲げられて延びた左右一対の支持部５３と、これら支持部５３にそれぞれ取り付けられて左右方向に同軸に延びる左右一対の円筒状のハブ部５４ａと、円筒ハブ部５４ａ内に挿入されて取り付けられた支持棒５４ｂとから構成され、平板部５２が第１凹部３２ａ内に固設されるとともに支持部５３、ハブ部５４ａ，支持棒５４ｂが第２凹部３２ｂ内に位置している。
【００２２】
取っ手部材５５は、上記左右一対のハブ部５４ａの内端間の寸法とほぼ等しい（これより若干小さな）幅の板材を曲げ加工して作られ、断面形状が前後に延びる長孔を有した形状となる保持筒状部５６と、この保持筒状部５６に繋がって斜め後上方に延びて後端が丸く曲げられた保持部５７と、この保持部５７に保持されて左右に突出して延びた丸棒からなる取っ手部５８とから構成される。取っ手部材５５は、保持筒状部５６内に支持棒５４ｂが挿入するようにして支持部材５１に取り付けられ、保持筒状部５６の内部を支持棒５４ｂが相対移動するようにして、この相対移動の分だけ取っ手部材５５が支持部材５１に対して前後に移動可能であり、且つ支持棒５４ｂの回りを揺動可能である。すなわち、図３の実線で示す位置（収容位置）と二点鎖線で示す位置（把持位置）とに移動可能である。なお、取っ手部材５５が支持部材５１に取り付けられた状態で、支持部材５１がビス５９により化粧板３１に取り付けられる。
【００２３】
遊技盤３０が図３に示すように、収容枠２０に装着されるときには、取っ手部材５５は、図３に実線で示すように、取っ手部５８が下方に揺動されるとともに前方に押し出されて第２凹部３２ａ内から前方に突出した状態（この位置を収容位置と称する）にされる。この状態では取っ手部材５５の保持筒状部５６の前部が化粧板３１の前面から前方に突出するが、残りの部分は収容凹部３２内に位置する。このとき保持筒状部５６の前端突出位置は化粧板３１の前面に取り付けられたガイドレール４１の前端より後側に位置するようになっている。このため、化粧板３１の前面にガイドレール４１を取り付けた状態では、この面を下にして遊技盤３０を例えば平板状の載置台に載置しても把持機構５０が邪魔になることがない。
【００２４】
この位置関係を図９を参照して説明する。この図には、化粧板３１の幅Ｗ、高さＨおよび厚さｔ１に対して、化粧板３１の前面にガイドレール４１を取り付けたときのガイドレール４１および化粧板３１の合計厚さｔ２と、化粧板３１の後面に球寄せカバー１６を取り付けたときの化粧板３１および球寄せカバー１６の合計厚さｔ３とを示している。上述のように取っ手部材５５が収容位置に位置した状態では保持筒状部５６の前端が化粧板３１の前面から前方に突出するが、この前端がガイドレール４１との合計厚さｔ２の範囲内に納まるようになっている。このため、ガイドレール４１を取り付けた状態では把持機構５０は厚さｔ２の範囲内に納めることができるようになっている。なお、把持機構５０はガイドレール４１より外側に位置して設けられている。
【００２５】
なお、遊技盤３０が収容枠２０に取り付けられた状態では、このように突出する保持筒状部５６の前部は、図３に実線で示すように、前枠２に形成された凹部２ａ内に突入するようになっており、前枠２および収容枠２０との干渉の問題が生じないようにされている。また、この状態（収納位置に位置した状態）では保持部５７および取っ手部５８は、図３に実線で示すように、収容凹部３２内に位置して化粧板３１の後面から突出しないようになっており、裏機構盤６０との干渉の問題も生じない。
【００２６】
遊技盤３０を収容枠２０から取り外すときには、係止レバー１１による係止を解除した後、遊技盤３０の上端を後方に引く。このとき、上方から第２凹部３２ｂ内に指を入れて取っ手部材５５の取っ手部５８に指を引っかけて軽く引っ張れば、図４に示すように、取っ手部材５５が後方に移動して取っ手部５８が後方に突出する。そこで、このように突出した取っ手部５８を把持して遊技盤３０の上端を後方に簡単に引っ張ることができる。このように遊技盤３０の上端を後方に引っ張ると、化粧板３１の下端の係合凹部３３が収容枠２０の係合突起２２に係合しているため、上方が後方に引き出されて図４に示すように傾く。そして、この状態で取っ手部材５５の取っ手部５８を把持して遊技盤３０全体を上方に引き上げれば（図３において２点鎖線で示す状態参照）、遊技盤３０を簡単に取り外すことができる。
【００２７】
このように、遊技盤３０に把持機構５０が設けられているため、取っ手部５８を外方（後方および上方）に突出させてこれを把持することにより、遊技盤３０を片手もしくは両手で簡単に且つ容易に持ち上げて運搬することができる。このため、遊技盤３０単体での出荷、運搬作業を簡単に且つ楽に行うことができる。さらに、遊技場におけるパチンコ機ＰＭに対する遊技盤３０の着脱作業に際して、取っ手部５８を把持して遊技盤３０の上部を後方に引き出して上方に持ち上げてこれを取り出す作業や、遊技盤３０を所定位置に装着する作業や、このような着脱に際して遊技盤３０を運搬する作業を簡単に行うことができ、このような作業が簡単で且つ楽になる。なお、この把持機構５０は、実施形態に示すように、遊技盤３０の上端の幅方向中央部（遊技盤３０の重心を通る位置）に設けるのが好ましく、この位置に設けられた取っ手を把持すれば遊技盤３０を真っ直ぐに起立した状態で把持することができ、作業者にとって運搬がより容易となる。
【００２８】
この把持機構５０はパチンコ機ＰＭの製造工程での遊技盤３０の運搬作業にも用いることができる。遊技盤３０の製造工程を、図１０に示しており、これについて簡単に説明する。遊技盤３０の製造は、まず盤素材の保管搬送工程Ｓ１において所定板厚の積層基板（ベニヤ板）が搬送され、この積層基板の前面にセルが張り付けされる装飾面加工工程Ｓ２が行われて化粧板３１の原型が作られる。次に、この化粧板３１に基準穴加工、ルータ加工等が施される穿孔加工工程Ｓ３が行われ、釘打ち工程Ｓ４に進んで化粧板３１の前面に所定のゲージ設定で遊技領域内に位置して多数の釘が打たれ、レール取付工程Ｓ５において化粧板３１の前面にガイドレール４１が取り付けられ、役物取付工程Ｓ６においてガイドレール４１により囲まれた遊技領域内に役物（入賞具等）が取り付けられる。さらに、球寄せカバー取付工程Ｓ７において、化粧板３１の裏面に球寄せカバー１６が取り付けられ、配線作業工程Ｓ８においてハーネス配線作業が行われ、検査工程Ｓ９で検査が行われて正常であると判断された遊技盤３０は、出荷工程Ｓ１０に進み、単品出荷されたり、パチンコ機ＰＭの組立ラインに出荷されたりする。
【００２９】
上記の製造工程において、把持機構５０を設けるため、穿孔加工工程Ｓ３においてルータ加工等により化粧板３１に収容凹部３２が形成され、さらに係合凹部３３も形成される。そして、把持機構５０をこの収容凹部３２に取り付ける作業は、穿孔加工工程Ｓ３以降の工程において適宜行われる。このとき、図３において実線で示すように、取っ手部材５５を収容位置に位置させた状態で保持筒状部５６の前端は化粧板３１の前面より前方に突出する。但し、この突出位置はガイドレール４１の前端より突出しないため、レール取付工程Ｓ５において化粧板３１の前面にガイドレール４１が取り付けられた後に把持機構５０を装着するのが好ましい。このようにすれば、ガイドレール４１の前端より把持機構５０が後側に位置するため、把持機構５０が以降の工程における作業の妨げとなることが無く、把持機構５０を有したまま各工程での作業を問題なく行うことができる。また、例えば、以後の工程における遊技盤３０（化粧板３１）の搬送作業等をこの把持機構５０を利用して容易に行うことが可能となる。
【００３０】
【第２の実施形態】
次に、本発明の第２の実施形態に係る遊技盤把持機構１５０について、図１１〜図１３を参照して説明する。なお、この実施形態において把持機構１５０の構成およびこれが配設される収容凹部１３２の形状のみが上記第１の実施形態に係るパチンコ機ＰＭと相違しており、上記第１実施形態と同一部分については同一番号を付してその説明は省略する。
【００３１】
第２の実施形態に係る把持機構１５０も、化粧板１３１の裏面上端部中央に形成された収容凹部１３２内に設けられる。この収容凹部１３２は、化粧板１３１の後面の上端中央にＵ字状に削られて形成されて後面側に開放した第１凹部１３２ａと、この第１凹部１３２ａに繋がるとともに化粧板１３１の上端面側に開放したＵ字状の第２凹部１３２ｂとからなる。把持機構１５０は、第１凹部１３２ａの後面にビス１５４により固設された支持部材１５１と、支持部材１５１により支持される取っ手部材１５５とから構成される。なお、第１及び第２凹部１３２ａ，１３２ｂはレール止めピン４１ａと干渉しないように形成されている。
【００３２】
図１２および図１３に詳しく示すように、支持部材１５１は、ビス１５４により第１凹部１３２ａに固定される平板部１５２と、平板部１５２の左右の上端２カ所が後方に直角に折り曲げられて形成された左右一対の上下に延びる板状の支持部１５３とから構成されており、支持部１５３にはそれぞれ上下に延びる長孔１５３ａが形成されている。なお、第１凹部１３２ａの前後方向深さは平板部１５２の厚さと同一に（すなわち、化粧板１３１の後面から突出しないように）設定されており、左右の支持部１５３はそれぞれ左右の第２凹部１３２ｂ内に位置する。
【００３３】
取っ手部材１５５は、正面視で略Ω形状に形成された棒状部材からなり、取っ手部１５６と、取っ手部１５６の両端から直角に曲がって互いに平行に延びた左右一対の連結部１５７と、各連結部１５７の先端から直角に曲がって互いに遠ざかる方向に延びた左右一対の係止部１５８とから構成される。取っ手部材１５５は、係止部１５８が支持部材１５１の支持部１５３の長孔１５３ａ内に挿入されるとともに先端側において止め輪１５９により抜け止めされて支持部材１５１に取り付けられる。これにより、取っ手部材１５５は支持部材１５１を介して化粧板１３１に取り付けられ、支持部１５３に形成された長孔１５３ａに沿って上下移動可能で、且つ長孔１５３ａ内において係止部１５８を中心として揺動自在となっている。
【００３４】
第１の実施形態と同様に、収容枠２０の下枠部後端に上方に突出する係合突起２２が形成され、この係合突起２２に係合する係合凹部３３が遊技盤３０を構成する化粧板１３１の後面下端部に形成されている（図５および図６参照）。遊技盤３０を収容枠２０に装着するときには、係合凹部３３を係合突起２２に係合させてまず下端部を収容枠２０に取り付ける。これにより図１１に２点鎖線で示すように上端が後方に位置して傾いた状態となるので、遊技盤３０の上端を前方に押せば、遊技盤３０を収容枠２０の所定位置に装着でき、この後、係止レバー１１により遊技盤３０を係止保持すれば、遊技盤３０の装着が完了する。
【００３５】
なお、このようにして遊技盤３０が収容枠２０に装着されるときには、取っ手部材１５５は図１１において２点鎖線で示すように後方下方に揺動されて化粧板１３１の後面より後方に突出する。但し、化粧板１３１の後面に裏機構盤６０が閉止状態で設けられるときには、取っ手部材１５５は、裏機構盤６０により押されて、図１１において実線で示すように収容凹部１３２内に位置した状態にされる。このとき取っ手部材１５５は下方に押し下げられて収容位置に位置し、この状態では取っ手部材１５１の上端は遊技盤３０の上端と同一レベルもしくはこれより下側に位置し、把持機構１５０全体が収容凹部１３２内に位置する。なお、取っ手部材１５５を前方に揺動させて収容しても（すなわち、このように前方に揺動させた位置を収容位置としても）良い。
【００３６】
一方、遊技盤３０を収容枠２０から取り外すときには、裏機構盤６０を開放するとともに係止レバー１１による遊技盤３０の係止を解除した後、取っ手部材１５５の取っ手部１５６に指を引っかけて後方に軽く引っ張る。このとき、取っ手部材１５５が係止部１５８を中心として後方に揺動して、図１１において２点鎖線で示すように後方に突出するので、このように突出した取っ手部１５６を把持して遊技盤３０の上端を後方に簡単に引っ張ることができる。このように遊技盤３０の上端を後方に引っ張ると、化粧板１３１の下端の係合凹部３３が収容枠２０の係合突起２２に係合しているため、上方が後方に引き出されて２点鎖線で示すように傾く。そして、この状態で取っ手部材１５５の取っ手部１５６を把持して遊技盤３０全体を上方に引き上げれば、取っ手部材１５５は２点鎖線で示すように上方に揺動し、遊技盤３０を引き上げて簡単に取り外すことができる。
【００３７】
このように、遊技盤３０に把持機構１５０が設けられているため、取っ手部１５６を外方に突出させてこれを把持することにより、遊技盤３０を片手もしくは両手で簡単に且つ容易に持ち上げて運搬することができる。このため、パチンコ機ＰＭの製造工程での遊技盤３０の運搬作業や、遊技盤３０単体での出荷、運搬作業や、遊技場における遊技機に対する遊技盤３０の着脱作業に際して、取っ手部１５６を把持して遊技盤３０を簡単に且つ容易に持ち上げて運搬することができ、このような作業が簡単で且つ楽になる。
【００３８】
第２の実施形態に場合においても、図１０に示す製造工程において、把持機構１５０を設けるため、穿孔加工工程Ｓ３においてルータ加工等により化粧板１３１に収容凹部１３２が形成され、把持機構１５０をこの収容凹部１３２に取り付ける作業は、穿孔加工工程Ｓ３以降の工程において適宜行われる。このとき、上述したように、取っ手部材１５５は後方に揺動して化粧板１３１の後面より後方に突出する。但し、図１３に示すように、このときの突出位置は化粧板１３１の後面に取り付けられた球寄せカバー１６の後面位置より前側に位置する。すなわち、取っ手部材１５５を含めた把持機構１５０全体が、図９に示す化粧板３１および球寄せカバー１６の合計厚さｔ３の範囲内に納まるようになっている。このため、把持機構１５０の取付を、図１０の球寄せカバー取付工程Ｓ７以降において行うのが好ましい。このようにすれば、球寄せカバー１６の後端より把持機構５０が前側に位置するため、把持機構１５０が以降の工程における作業の妨げとなることが無く、把持機構１５０を有したまま各工程での作業を問題なく行うことができる。また、例えば、以後の工程における遊技盤３０（化粧板３１）の搬送作業等をこの把持機構１５０を利用して容易に行うことが可能となる。
【００３９】
【第３の実施形態】
次に、本発明の第３の実施形態に係る遊技盤把持機構２５０について、図１４〜図１８を参照して説明する。なお、この実施形態において把持機構２５０の構成およびこれが配設される収容凹部２３２の形状と、遊技盤３０の下端部を収容枠２０の下枠部と係止させる構成のみが上記第１の実施形態に係るパチンコ機ＰＭと相違しており、上記第１実施形態と同一部分については同一番号を付してその説明は省略する。
【００４０】
第３の実施形態に係る把持機構２５０も、化粧板２３１の裏面上端部中央に形成された収容凹部２３２内に設けられる。この収容凹部２３２は、化粧板２３１の後面の上端中央にＵ字状に削られて形成されて後面側に開放した第１凹部２３２ａと、この第１凹部２３２ａに繋がるとともに化粧板２３１の上端面側に開放したＵ字状の第２凹部２３２ｂとからなる。把持機構２５０は、第１凹部２３２ａの後面にビス２５４により固設された支持部材２５１と、支持部材２５１により支持される取っ手部材２５５とから構成される。なお、第１及び第２凹部２３２ａ，２３２ｂはレール止めピン４１ａと干渉しないように形成されている。
【００４１】
図１５および図１６に詳しく示すように、支持部材２５１は、ビス２５４により第１凹部２３２ａに固定される平板部２５２と、平板部２５２の左右の上端２カ所が後方に直角に折り曲げられて形成された左右一対の上下に延びる板状の支持部２５３とから構成されており、支持部２５３にはそれぞれ前後に延びる長孔２５３ａが形成されている。なお、第１凹部２３２ａの前後方向深さは平板部２５２の厚さと同一に設定されており、左右の支持部２５３はそれぞれ左右の第２凹部２３２ｂ内に位置する。
【００４２】
取っ手部材２５５は、正面視で略Ω形状に形成された棒状部材からなり、取っ手部２５６と、取っ手部２５６の両端から直角に曲がって互いに平行に延びた左右一対の連結部２５７と、各連結部２５７の先端から直角に曲がって互いに遠ざかる方向に延びた左右一対の係止部２５８とから構成される。取っ手部材２５５は、係止部２５８が支持部材２５１の支持部２５３の長孔２５３ａ内に挿入されるとともに先端側において止め輪２５９により抜け止めされて支持部材２５１に取り付けられる。これにより、取っ手部材２５５は支持部材２５１を介して化粧板２３１に取り付けられ、支持部２５３に形成された長孔２５３ａに沿って前後移動可能で、且つ長孔２５３ａ内において係止部２５８を中心として揺動自在となっている。
【００４３】
この実施形態では、収容枠２０の下枠部上面の前後方向中央に上方に突出して左右に延びる係合突起２２２が形成され、この係合突起２２２に係合する係合凹部２３３が遊技盤３０を構成する化粧板２３１の下端面に形成されている（図１７および図１８参照）。また、収容枠２０の下枠部には受止部材２２３がビス２２４により固定されており、受止部材２２３の上端部２２３ａは収容枠２０の下枠部の後端面に沿って上方に突出している。遊技盤３０を収容枠２０に装着するときには、係合凹部２３３を係合突起２２２に係合させるとともに受止部材２２３の上端部２２３ａにより受け止めさせて、まず化粧板２３１の下端部を収容枠２０に取り付ける。これにより図１４に２点鎖線で示すように上端が後方に位置して傾いた状態となるので、遊技盤３０の上端を前方に押せば、遊技盤３０を収容枠２０の所定位置に装着でき、この後、係止レバー１１により遊技盤３０を係止保持すれば、遊技盤３０の装着が完了する。
【００４４】
なお、このようにして遊技盤３０が収容枠２０に装着されるときには、取っ手部材２５５は図１４および図１６において実線で示すように後方下方に揺動されるとともに前方に移動されて収容凹部２３２内に位置する（すなわち、収容位置に位置する）。このように取っ手部材２５５が収容位置に位置した状態では取っ手部材２５５の後端は遊技盤３０の後面と同一レベルもしくはこれより前側に位置し、把持機構２５０全体が収容凹部２３２内に位置する。
【００４５】
一方、遊技盤３０を収容枠２０から取り外すときには、裏機構盤６０を開放するとともに係止レバー１１による遊技盤３０の係止を解除した後、取っ手部材２５５の取っ手部２５６に指を引っかけて後方に軽く引っ張る。このとき、取っ手部材２５５は係止部２５８が長孔２５３ａに沿って後方に移動して、図１４において２点鎖線で示すように後方に突出するので、このように突出した取っ手部２５６を把持して遊技盤３０の上端を後方に簡単に引っ張ることができる。このように遊技盤３０の上端を後方に引っ張ると、化粧板２３１の下端の係合凹部２３３が収容枠２０の係合突起２２２に係合しているため、上方が後方に引き出されて図４において２点鎖線で示すように傾く。そして、この状態で取っ手部材２５５の取っ手部２５６を把持して遊技盤３０全体を上方に引き上げれば、取っ手部材２５５は図１４および図１５において２点鎖線で示すように上方に揺動し、遊技盤３０を引き上げて簡単に取り外すことができる。
【００４６】
このように、遊技盤３０に把持機構２５０が設けられているため、取っ手部２５６を外方に突出させてこれを把持することにより、遊技盤３０を片手もしくは両手で簡単に且つ容易に持ち上げて運搬することができる。このため、パチンコ機ＰＭの製造工程での遊技盤３０の運搬作業や、遊技盤３０単体での出荷、運搬作業や、遊技場における遊技機に対する遊技盤３０の着脱作業に際して、取っ手部２５６を把持して遊技盤３０を簡単に且つ容易に持ち上げて運搬することができ、このような作業が簡単で且つ楽になる。
【００４７】
第３の実施形態に場合においても、図１０に示す製造工程において、把持機構２５０を設けるため、穿孔加工工程Ｓ３においてルータ加工等により化粧板２３１に収容凹部２３２が形成され、把持機構２５０をこの収容凹部２３２に取り付ける作業は、穿孔加工工程Ｓ３以降の工程において適宜行われる。このとき、上述したように、取っ手部材２５５は支持部材２５１の前後に延びる長孔２５３ａ内において前後に移動自在且つ揺動自在であるため、図１６に示すように、化粧板２３１の前面より前方に突出したり、後面より後方に突出したりする。
【００４８】
但し、図１６に示すように、このときの前後突出位置はそれぞれ、化粧板２３１の前面に取り付けられたガイドレール４１の前端面位置より後側に位置し、且つ後面に取り付けられた球寄せカバー１６の後面位置より前側に位置する。すなわち、取っ手部材２５５を含めた把持機構２５０全体が、図９に示す、ガイドレール４１および化粧板２３１の合計厚さｔ２の範囲内、もしくは化粧板３１および球寄せカバー１６の合計厚さｔ３の範囲内に納まるようになっている。このため、把持機構２５０の取付を、図１０の球寄せカバー取付工程Ｓ７以降において行うのが好ましい。このようにすれば、ガイドレール４１の前端から球寄せカバー１６の後端までの間に把持機構２５０が位置するため、把持機構２５０が以降の工程における作業の妨げとなることが無く、把持機構２５０を有したまま各工程での作業を問題なく行うことができる。また、例えば、以後の工程における遊技盤３０（化粧板３１）の搬送作業等をこの把持機構２５０を利用して容易に行うことが可能となる。
【００４９】
以上説明した第１〜第３の実施形態から分かるように、取っ手部材を回動（揺動）およびスライド移動させて収容凹部の外に突出させる構成を採用し、指掛けもしくは把持スペースを大きくして取っ手部材を容易に把持できるようにしたことが本発明の特徴構成の一つであり、この取っ手部材を収容凹部を含む所定範囲内に収容できるようにしたことが本発明のもう一つの特徴構成である。なお、図５および図６に示す係合突起２２と係合凹部３３との係合構造を上記いずれの実施形態に用いても良く、また、図１７および図１８に示す係合構造を上記いずれの実施形態に用いても良い。
【００５０】
【発明の効果】
以上説明したように、本発明によれば、遊技盤把持機構を遊技盤の端部に形成された凹部内に固設された支持部材とこの支持部材により移動可能に支持された取っ手部材とから構成し、この取っ手部材は、ガイドレール前端面からカバー部材後端面に至る前後方向範囲で且つ遊技盤の外形輪郭形状の前後方向延長領域内に収容される収容位置と凹部外に突出する把持位置との間で移動可能となって支持部材に支持され、取っ手部材を使用しないときには収容位置に移動させて凹部を含む所定範囲（すなわち、ガイドレール前端面からカバー部材後端面に至る前後方向範囲で且つ遊技盤の外形輪郭形状の前後方向延長領域）内に位置させることができるので、遊技機内への遊技盤の取付、遊技盤の単体搬送、梱包出荷等に際して、把持機構が邪魔することがない。このため、従来の遊技盤とほぼ同一の扱いのままで遊技機を製作したり、梱包出荷したりすることができる。また、遊技機の製造工程での遊技盤の運搬作業や、遊技盤単体での出荷、運搬作業や、遊技場における遊技盤の着脱作業に際しては、取っ手部材を把持位置に移動させて凹部の外方に突出させれば、この取っ手を片手で把持してこれを容易に運搬することができ、これらの作業を簡単に且つ効率良く行うことができる。
【図面の簡単な説明】
【図１】本発明に係る遊技盤把持機構を有したパチンコ機をガラス扉と上球皿とを開放した状態で示す正面図である。
【図２】上記パチンコ機を外枠および裏機構盤を取り外した状態で示す背面図である。
【図３】上記パチンコ機の遊技盤把持機構を示すため、上記パチンコ機を図２の矢印ＩＩＩ−ＩＩＩに沿って示す断面図である。
【図４】遊技盤を着脱する操作を行う状態における上記パチンコ機を、図２の矢印ＩＩＩ−ＩＩＩに沿って示す断面図である。
【図５】上記パチンコ機の遊技盤下端部と収容枠の下枠部の形状を示す斜視図である。
【図６】上記パチンコ機の遊技盤下端部と収容枠の下枠部の形状を示す断面図である。
【図７】上記パチンコ機の遊技盤上端に設けられた把持機構を示す斜視図である。
【図８】上記パチンコ機の遊技盤上端に設けられた把持機構を示す平面図である。
【図９】遊技盤の外観形状を示す概略正面図および概略側面図である。
【図１０】遊技盤の製造工程を説明するブロック図である。
【図１１】第２の実施形態に係る遊技盤把持機構を含み、パチンコ機の上部中央を断面して示す断面図である。
【図１２】上記第２の実施形態に係る把持機構を示す斜視図である。
【図１３】上記第２の実施形態に係る把持機構を示す背面図である。
【図１４】第３の実施形態に係る遊技盤把持機構を有したパチンコ機を、図２の矢印ＩＩＩ−ＩＩＩに沿って示す断面図である。
【図１５】上記第３の実施形態に係る遊技盤把持機構を示す斜視図である。
【図１６】上記第３の実施形態に係る遊技盤把持機構を示す平面図である。
【図１７】上記第３の実施形態に係る遊技盤把持機構を有したパチンコ機の遊技盤下端部と収容枠の下枠部の形状を示す斜視図である。
【図１８】上記第３の実施形態に係る遊技盤把持機構を有したパチンコ機の遊技盤下端部と収容枠の下枠部の形状を示す断面図である。
【符号の説明】
ＰＡ  遊技領域
ＰＭ  パチンコ機
１  外枠
２  前枠
３ａ，３ｂ  ヒンジ部材
４  施錠装置
５  ガラス扉（５ａ，５ｂ  透明板）
６  上球皿
８  下球皿
９  操作ハンドル
１０  打球発射装置
１１  係止レバー
１５  表示制御基板
１６  球寄せカバー
２０  収容枠（２１  矩形状開口）
２２，２２２  係合突起
２２３  受止部材（２２３ａ  上端部）
２２４  ビス
３０  遊技盤
３１，１３１，２３１  化粧板
３１ａ  アウト口，  ３１ｂ  アウト球通過溝
３２，１３２，２３２  収容部
３２ａ，１３２ａ，２３２ａ  第１凹部
３２ｂ，１３２ｂ，２３２ｂ  第２凹部
３３，２３３  係合凹部
４１  ガイドレール（４１ａ，４１ｂ  外レール、内レール）
４２，４３  風車
４４  通過ゲート
４５  一般入賞具
４６  始動入賞具
４７  アタッカー装置
４８  表示装置
４９  ランプ飾り
５０，１５０，２５０  把持機構
５１，１５１，２５１  支持部材
５２，１５２，２５２  平板部
５３，１５３，２５３  支持部  （１５３ａ，２５３ａ  長孔）
５４ａ  ハブ部
５４ｂ  支持棒
５９，１５４，２５４  ビス
５５，１５５，２５５  取っ手部材
５６  保持筒状部
５７  保持部
５８，１５６，２５６  取っ手部
１５７，２５７  連結部
１５８，２５８  係止部
１５９，２５９  止め輪
６０  裏機構盤
【図１】
2004167085.tif 000003
【図２】
2004167085.tif 000004
【図３】
2004167085.tif 000005
【図４】
2004167085.tif 000006
【図５】
2004167085.tif 000007
【図６】
2004167085.tif 000008
【図７】
2004167085.tif 000009
【図８】
2004167085.tif 000010
【図９】
2004167085.tif 000011
【図１０】
2004167085.tif 000012
【図１１】
2004167085.tif 000013
【図１２】
2004167085.tif 000014
【図１３】
2004167085.tif 000015
【図１４】
2004167085.tif 000016
【図１５】
2004167085.tif 000017
【図１６】
2004167085.tif 000018
【図１７】
2004167085.tif 000019
【図１８】
2004167085.tif 000020